(57)【要約】【課題】凹凸の多い、柵の設置箇所に生じる隙間を確実に閉塞できるとともに、例えば地面を掘り起こして潜り抜けるような動物の侵入をも阻止できる侵入防止構造を提供すること。【解決手段】柵１と、この柵１の設置箇所の地中Ｆに所定長さ打ち込まれる動物侵入防止部材３０と、打ち込まれた前記動物侵入防止部材３０を前記柵１に取り付ける係着手段とを含み、さらに、前記動物侵入防止部材３０は、柵１の設置箇所の地中Ｆに打ち込まれる縦板３１と、この縦板３１の上端側から折り曲げられ、この折り曲げ部分Ｍから水平に延設された打ち込みのための当たり面部を形成する横板３２とを一体に備えた動物侵入防止杭からなる。【選択図】図１
2017147961.tif 000002
【特許請求の範囲】
【請求項１】
柵と、
この柵の設置箇所の地中に所定長さ打ち込まれる動物侵入防止部材と、
打ち込まれた前記動物侵入防止部材を前記柵に取り付ける係着手段とを含み、
さらに、前記動物侵入防止部材は、柵の設置箇所の地中に打ち込まれる縦板と、この縦板の上端側から折り曲げられ、この折り曲げ部分から水平に延設された打ち込みのための当たり面部を形成する横板とを一体に備えた動物侵入防止杭からなることを特徴とする侵入防止構造。
【請求項２】
前記柵は、
相互に略平行に延びる複数の胴縁と、
連結部を介して前記胴縁の両端を支持する前記支柱と、
前記複数の胴縁のうち最も上側に位置する上部胴縁によって角度可変に吊り下げ保持された複数の縦桟とを備え、
前記複数の胴縁は、前記支柱に対する角度が可変であり、
前記複数の胴縁のうち前記上部胴縁を除いた他の胴縁には各々長手方向に間隔をおいて複数の孔が設けられ、
前記複数の縦桟は、前記他の胴縁の複数の孔を各々貫き、
前記連結部には、前記複数の胴縁から前記支柱までの距離を調整するための調整手段を設けてある請求項１に記載の侵入防止構造。
【請求項３】
前記縦板は、その水平方向の所定間隔おきに配した複数の杭本体を下部に有する一方、上部に、前記杭本体の上端と前記折り曲げ部分を繋ぐよう連設形成されている連設部を有した正面視略櫛形状であり、
隣接する杭本体間での前記連設部の下辺形状は、二辺よりなる正面視山形形状に設定されているとともに、前記各杭本体の下端は正面視でＶ形に尖った形状に形成されている一方、
前記柵は、前記複数の胴縁のうち最も下側に位置する下部胴縁が設置箇所の地表面から３０ｍｍ〜７０ｍｍの高さに位置するよう設置箇所に取り付けられ、
前記動物侵入防止杭は、柵の設置箇所の前面で、前記支柱を支持する基礎間に位置するよう配置され、
前記杭本体は、動物侵入防止杭の前記連設部が前記下部胴縁の高さ位置までくるよう地中に１００ｍｍ以上の所定の埋め込み長さに打ち込まれ、
前記係着手段は、地表面上に位置している前記連設部および前記横板と、柵の前記下部胴縁とを結束する結束バンドである請求項１または請求項２に記載の侵入防止構造。
【請求項４】
前記杭本体は、縦の長さが１５０ｍｍ〜３００ｍｍである請求項３に記載の侵入防止構造。
【発明の詳細な説明】
【技術分野】
【０００１】
本発明は、例えば、動物等の侵入を防止するための機能を備えた侵入防止構造に関するものであり、特に、地面を掘り起こす動物の侵入防止にも好適な侵入防止構造に関するものである。
【背景技術】
【０００２】
特許文献１には、凹凸地形において地面と例えばネットフェンスとの間に生じる隙間を閉塞して隙間からの動物の侵入をも阻止するためネットフェンスに「前垂れ」を取り付けるように構成された動物対策フェンスが開示されている。そして、「前垂れ」の先が地面に突き刺さる程度の長さに「前垂れ」の列線が設定されているとともに、「前垂れ」は、行線を複数本配して列線と溶着されている。また、特許文献１には、支柱に桟を架け、これにパネルを張設し、「前垂れ」を基礎ブロック間に配し、先を地面に接しつつ、結合金具を介して「前垂れ」をパネルの裾に取付け、パネルの裾の行線と「前垂れ」の行線を併せて挟着し、ボルト締結するように構成された動物対策フェンスが開示されている。
【先行技術文献】
【特許文献】
【０００３】
【特許文献１】特開２００１−３３６３１５号公報
【発明の概要】
【発明が解決しようとする課題】
【０００４】
しかしながら、いずれの「前垂れ」も、地面を掘り起こして潜り抜けるような動物の侵入を阻止できるものではなかった。
【０００５】
本発明は上述の事柄に留意してなされたもので、その目的は、凹凸の多い、柵の設置箇所に生じる隙間を確実に閉塞できるとともに、例えば地面を掘り起こして潜り抜けるような動物の侵入をも阻止できる侵入防止構造を提供することにある。
【課題を解決するための手段】
【０００６】
上記目的を達成するために、本発明に係る侵入防止構造は、柵と、
この柵の設置箇所の地中に所定長さ打ち込まれる動物侵入防止部材と、
打ち込まれた前記動物侵入防止部材を前記柵に取り付ける係着手段とを含み、
さらに、前記動物侵入防止部材は、柵の設置箇所の地中に打ち込まれる縦板と、この縦板の上端側から折り曲げられ、この折り曲げ部分から水平に延設された打ち込みのための当たり面部を形成する横板とを一体に備えた動物侵入防止杭からなることを特徴としている（請求項１）。
【０００７】
また、本発明は、前記柵は、
相互に略平行に延びる複数の胴縁と、
連結部を介して前記胴縁の両端を支持する前記支柱と、
前記複数の胴縁のうち最も上側に位置する上部胴縁によって角度可変に吊り下げ保持された複数の縦桟とを備え、
前記複数の胴縁は、前記支柱に対する角度が可変であり、
前記複数の胴縁のうち前記上部胴縁を除いた他の胴縁には各々長手方向に間隔をおいて複数の孔が設けられ、
前記複数の縦桟は、前記他の胴縁の複数の孔を各々貫き、
前記連結部には、前記複数の胴縁から前記支柱までの距離を調整するための調整手段を設けてある請求項１に記載の侵入防止構造を提供する（請求項２）。
【０００８】
また、本発明は、前記縦板は、その水平方向の所定間隔おきに配した複数の杭本体を下部に有する一方、上部に、前記杭本体の上端と前記折り曲げ部分を繋ぐよう連設形成されている連設部を有した正面視略櫛形状であり、
隣接する杭本体間での前記連設部の下辺形状は、二辺よりなる正面視山形形状に設定されているとともに、前記各杭本体の下端は正面視でＶ形に尖った形状に形成されている一方、
前記柵は、前記複数の胴縁のうち最も下側に位置する下部胴縁が設置箇所の地表面から３０ｍｍ〜７０ｍｍの高さに位置するよう設置箇所に取り付けられ、
前記動物侵入防止杭は、柵の設置箇所の前面で、前記支柱を支持する基礎間に位置するよう配置され、
前記杭本体は、動物侵入防止杭の前記連設部が前記下部胴縁の高さ位置までくるよう地中に１００ｍｍ以上の所定の埋め込み長さに打ち込まれ、
前記係着手段は、地表面上に位置している前記連設部および前記横板と、柵の前記下部胴縁とを結束する結束バンドである請求項１または請求項２に記載の侵入防止構造を提供する（請求項３）。
【０００９】
さらに、本発明は、前記杭本体は、縦の長さが１５０ｍｍ〜３００ｍｍである請求項３に記載の侵入防止構造を提供する（請求項４）。
【発明の効果】
【００１０】
本願請求項１に係る発明では、動物侵入防止部材を、柵の設置箇所の地中に所定長さ打ち込むとともに、打ち込まれた前記動物侵入防止部材を係着手段を用いて柵に取り付けるように構成することにより、動物侵入防止部材の先が設置箇所の地面に突き刺さる程度の長さではなく、地面に突き刺さる程度の長さよりも長い所定の埋め込み長さまで前記動物侵入防止部材の先を地中に位置させるようにできる。このように本願請求項１に係る発明では、前記動物侵入防止部材の先を所定の埋め込み長さまで地中に位置させるようにすることによって、動物が柵を跳び越えて例えば高速道路内に侵入するのを防止できることは勿論、凹凸の多い、柵の設置箇所に生じる隙間を確実に閉塞できるとともに、地中の埋設深さを「前垂れ」に比べて圧倒的に拡大できるので、柵直下の地面を掘り起こして潜り抜けるような動物の侵入をも阻止できる。
【００１１】
また、本願請求項１に係る発明では、動物侵入防止部材を、柵の設置箇所の地中に打ち込まれる縦板と、この縦板の上端側から折り曲げられ、この折り曲げ部分から水平に延設された打ち込みのための当たり面部を形成する横板とを一体に備えた動物侵入防止杭から構成している。例えば所定幅だけ折り曲げられた当たり面部は水平に延設されているので、柵の設置箇所の地中の状況に応じて作業者は当たり面部に対する打ち込み箇所を適宜に選択できて縦板の打ち込み作業を能率よく行える。そのために、「前垂れ」の先を地面に突き刺す作業に比べて労力のいる動物侵入防止杭の地中埋め込み作業をできるだけ軽減することができる。
【００１２】
本願請求項２に係る発明では、施工ミス等により、支柱を支持する基礎（鋼管基礎等）の間隔が支柱の本来の間隔に合致していない箇所が存在しても、調整手段により複数の胴縁から支柱までの距離を調整することにより対応することができ、これにより、設置の際の融通性を高めることが可能となる。
【００１３】
本願請求項３に係る発明では、縦板は、その水平方向の所定間隔おきに配した複数の杭本体を下部に有する一方、上部に、前記杭本体の上端と前記折り曲げ部分を繋ぐよう連設形成されている連設部を有した正面視略櫛形状であることから、例えば正面視平板等の場合に比べて、前記杭本体を打ち込み易くできる。そして、本願請求項３に係る発明では、前記複数の胴縁のうち最も下側に位置する下部胴縁が設置箇所の地表面から３０ｍｍ〜７０ｍｍの高さに位置するよう、柵を設置箇所に取り付け、動物侵入防止杭を、柵の設置箇所の前面で、前記支柱を支持する基礎間に位置するよう配置し、前記杭本体を、動物侵入防止杭の前記連設部が前記下部胴縁の高さ位置までくるよう地中に１００ｍｍ以上の所定の埋め込み長さに打ち込み、地表面上に位置している前記連設部および前記横板と、柵の前記下部胴縁とを係着手段（例えば結束バンド）で結束している。すなわち、本願請求項３に係る発明では、前記杭本体を、地中に１００ｍｍ以上打ち込んでいることから、凹凸の多い、柵の設置箇所に生じる隙間を確実に閉塞できるとともに、地中の埋設深さを「前垂れ」に比べて圧倒的に拡大できるので、柵直下の地面を掘り起こして潜り抜けるような動物の侵入をも確実に阻止できる。さらに、本願請求項３に係る発明では、安価な結束バンドで動物侵入防止部材を柵に取り付けることができるとともに、結束バンドを締め付けるだけの容易にできる取り付け作業ですむことから、柵を平地に設置する場合にも、また、柵を傾斜地に設置する場合でも、柵の設置箇所の地中に動物侵入防止杭を打ち込む施工を安価に作業性よく行える。また、本願請求項３に係る発明では、各杭本体の下端は正面視でＶ形に尖った形状に形成されている。そのため、Ｖ形に凹んだ形状の場合や下端面（先端面）が水平面、あるいは、湾曲面等の場合に比べて、杭本体を打ち込み易くできる。また、本願請求項３に係る発明では、隣接する杭本体間での連設部の下辺形状は、二辺よりなる正面視山形形状に設定されている。そのため、下辺形状が水平な直線形状や、正面視逆山形形状、あるいは、湾曲面形状等の場合に比べて、結束バンドで結束し易くできるとともに、前記連設部において、結束バンドを正面視山形形状の尖端に位置させることができるので、結束バンドの前記連設部に対する位置決めを容易にできるとともに、結束状態がずれるおそれがなく、強固に結束できる利点がある。
【００１４】
本願請求項４に係る発明では、前記杭本体の縦の長さが１５０ｍｍ〜３００ｍｍであるので、前記杭本体を最大３００ｍｍまで地中に打ち込むことができ、柵の設置箇所の状況に応じた対策をとることができる。
【図面の簡単な説明】
【００１５】
【図１】本発明の一実施の形態に係る侵入防止構造を概略的に示す正面図であり、複数の柵を平坦地に設置した施工例を示している。
【図２】（Ａ）は、上記実施の形態で用いられる動物侵入防止部材を示す正面図である。（Ｂ）は、上記実施の形態で用いられる動物侵入防止部材を示す右側面図である。（Ｃ）は、上記実施の形態で用いられる動物侵入防止部材を示す平面図である。（Ｄ）は、上記実施の形態で用いられる動物侵入防止部材の先端の形状を示す正面図である。
【図３】上記実施の形態で用いられる柵の縦桟の中心軸を通り上部胴縁の長手方向に直交する切断面における上部胴縁近傍の断面図である。
【図４】（Ａ）及び（Ｂ）は、上記実施の形態で用いられる柵の下部胴縁近傍の構成を概略的に示す斜視図及び断面図である。（Ｃ）は、上記実施の形態で用いられる縦桟の一部側面図である。（Ｄ）は、上記実施の形態で用いられる縦桟の側面図及び縦桟の頭部拡大図である。
【図５】上記実施の形態で用いられる柵における支柱上部近傍の正面図である。
【図６】（Ａ）は、上記実施の形態で用いられる柵の上部胴縁の端部に設けられた進退部材近傍の構成を概略的に示す正面図、（Ｂ）は前記進退部材の構成を概略的に示す斜視図である。
【発明を実施するための形態】
【００１６】
本発明の実施の形態について図面を参照しながら以下に説明する。なお、それによって本発明は限定を受けるものではない。
【００１７】
図１は、複数の柵を平坦地に設置した施工例を示している。図１、図２において、侵入防止構造Ｄは、柵１と、この柵１の設置箇所（柵１の設置先となる地面等）の地中Ｆに所定長さ打ち込まれる動物侵入防止部材３０と、打ち込まれた動物侵入防止部材３０を柵１に取り付ける係着手段４０とを含んでいる。この実施形態では、柵１は平地に設置されているが、本発明は、傾斜地や凹凸地形にも柵１は設置されうる。なお、この実施形態の侵入防止構造Ｄは、例えば高速道路での侵入防止用のものであるが、これに限定されるものではない。動物侵入防止部材３０は、柵１の設置箇所の地中Ｆに打ち込まれる縦板３１と、この縦板３１の上端側から折り曲げられ、この折り曲げ部分Ｍから水平に延設された打ち込みのための当たり面部を形成する横板３２とを一体に備えた動物侵入防止杭からなるものである。動物侵入防止杭３０の縦板３１は、その水平方向（両矢印Ａで示す方向）の所定間隔ｄおきに配した複数の棒状の杭本体３３を下部に有する一方、上部に、複数の杭本体３３の上端と折り曲げ部分Ｍを繋ぐよう連設形成されている連設部３４を有した正面視略櫛形状である。この実施形態では、一つの動物侵入防止杭３０につき１５本の杭本体３３が設けられているが、この数に限定されるものではない。なお、図２（Ａ）には、複数の杭本体３３の前記上端を通る仮想線をＮで示している。また、連設部３４の上端（折り曲げ部分）Ｍと、仮想線Ｎで示す前記上端との間の長さｅは４０ｍｍである。
【００１８】
この実施形態では、柵１のＡ方向の長さ（柵１の横の長さ、すなわち、左右の支柱５，５間の距離）Ｚは２０００ｍｍである。また、柵１の柵高（柵１の縦の長さ、すなわち、Ａ方向に直交するＢ方向の長さ）ｈは１５００ｍｍであり、柵１を構成する部材には、必要に応じてめっきや塗装等の防錆処理が施される。前記柵高ｈは、後述する上部胴縁２の上端２ｅおよび後述する縦桟８の下（先）端（設置地面に当接している）８ｃ間の長さである。前記柵高ｈの大小に応じて縦桟８のＢ方向の長さ（縦の長さ）は変化するが、これらの場合も縦桟８の下（先）端８ｃは設置地面に当接する長さの縦桟８を用いている。動物侵入防止部材３０のＡ方向の長さ（動物侵入防止杭３０の横の長さ）Ｒは１０００ｍｍである。動物侵入防止杭３０の厚みＷは一定であり、この実施形態では２．３ｍｍである。そして、杭本体３３の長さ〔杭本体３３の前記上端から下端（先端）までの縦の長さ〕Ｘは２１０ｍｍである。なお、杭本体３３の前記縦の長さは、設置面の凹凸等に応じて適宜設定されうるものであり、１５０ｍｍ〜３００ｍｍの範囲に杭本体３３の前記縦の長さがあればよい。また、前記間隔ｄ（隣接する杭本体３３，３３間の長さ）は、例えば４５ｍｍである。なお、前記間隔ｄは地面を掘り起こす動物の侵入を阻止しうる間隔であり、地面を掘り起こす動物の大きさに応じて適宜に長さに設定できる。さらに、動物侵入防止杭３０の正面側から背面側に向かって水平に突出している上端フランジ部分としての前記横板３２の幅ｍは２０ｍｍである。
【００１９】
この実施の形態の動物侵入防止杭３０の「規格」は、「ＭＳＭ−ＨＣ−ＤＺＣ  Ｋ２７」であり、「仕様」は、高耐食性の溶融亜鉛・アルミニウム・マグネシウム合金メッキである。さらに、動物侵入防止杭３０には、炭素（Ｃ），シリコン（Ｓｉ），マンガン（Ｍｎ），リン（Ｐ），イオウ（Ｓ）が化学成分として含まれている。また、動物侵入防止杭３０の機械的性質は以下の通りである。例えば引張強さは２７０（Ｎ／ｍｍ2 ）以上、伸びは２９（％）以上、試験片は「５号」であるとともに、曲げ性における曲げ角度は１８０°、曲げ性における内側半径は「密着」であり、曲げ性における試験片は「３号」等である。
【００２０】
また、隣接する杭本体３３，３３間での前記連設部３４の下辺形状は、等しい長さの二辺Ｇ，Ｈよりなる正面視山形形状に設定されている。すなわち、複数の杭本体３３の前記上端を通る前記仮想線Ｎと二辺Ｇ，Ｈにより杭本体３３，３３間の仮想線Ｎを底辺とする１４個の二等辺三角形Ｔが形成されている。そして、各動物侵入防止杭３０毎に１４個の前記山形形状Ｇ，Ｈを連設部３４は備えており、杭本体３３の仮想線Ｎで示す前記上端を介して前記山形形状Ｇ，Ｈと杭本体３３が繋がっている。なお、二辺Ｇ，Ｈの交点（二等辺三角形Ｔの頂点）ｆと点ｇとを結ぶ長さ（二等辺三角形Ｔの底辺の長さの半分の長さ）ｍ’は２２．５ｍｍである。
【００２１】
また、図２（Ａ）に示すように、前記連設部３４は、Ａ方向における一端部（図示右側）に重ね合わせ部分３４ａを有するとともに、Ａ方向における他端部（図示左側）に重ね合わせ部分３４ｂを有している。すなわち、図１において正面視で左側、真ん中、右側に位置する柵１のうち、例えば左側に位置する柵１に注目した場合、左右二つの動物侵入防止杭３０，３０のうち、例えば図示左側の動物侵入防止杭３０の重ね合わせ部分３４ａを、図示右側の動物侵入防止杭３０の重ね合わせ部分３４ｂに重ねることにより、二つの動物侵入防止杭３０，３０を隣接させている。そして、前記部分３４ａと前記部分３４ｂの重ね合わせ寸法は適宜設定できる。この実施形態では図２に示すような前記二等辺三角形Ｔを形成することなく前記部分３４ａと前記部分３４ｂを重ね合わせているが、前記二等辺三角形Ｔを形成するよう重ね合わせてもよい。この場合は、隣接させた杭本体３３間の長さａは、図２に示す前記間隔ｄ（＝４５ｍｍ）になる。そして、前述したように、左右の支柱５，５間の距離Ｚは２０００ｍｍであり、また、動物侵入防止杭３０の横の長さＲは１０００ｍｍであるが、図１において、左右二つの動物侵入防止杭３０，３０を重ね合わせるので、隣接させた動物侵入防止杭３０，３０の横の長さは１０００ｍｍに１０００ｍｍを加算したものよりこれらを重ね合わせた分だけ短くなる。これにより、動物侵入防止杭は、柵１の設置箇所の前面で、前記支柱５，５を支持する基礎６，６間に位置するよう配置されうる。なお、重ね合わせ部分３４ａ，３４ｂの横の長さｐは３５ｍｍである。  
【００２２】
また、前記各杭本体３３の下端（先端）は正面視でＶ形に尖った形状に形成されている。例えば図２（Ｄ）に示すように、杭本体３３のＡ方向における幅（横の長さ）ｎが２０ｍｍの場合、杭本体３３の下端（先端）の長さ（Ｂ方向における縦の長さ）ｉは１０ｍｍである。すなわち、先細り形状の長さは１０ｍｍである。なお、上述した動物侵入防止杭３０の厚みＷ、隣接する杭本体３３間の長さｄ、横板３２の幅ｍ、二等辺三角形Ｔの底辺の半分の長さｍ’、重ね合わせ部分３４ａ，３４ｂの横の長さｐ、杭本体３３の幅ｎ、杭本体３３の先細り形状の長さｉ等は、それぞれ、この実施の形態の数値に限るものではなく、設置面の凹凸等に応じて適宜設定されうる。
【００２３】
次に、前記柵１について説明する。
【００２４】
図１、図３〜図６において、柵１は、相互に略平行に延びる複数の胴縁２，３，４と、連結部２０（２１，２２）を介して胴縁２，３，４の両端を支持する前記支柱５と、複数の胴縁２，３，４のうち最も上側に位置する上部胴縁２によって角度可変に吊り下げ保持された複数の縦桟８（図３、図４参照）とを備えている。具体的には、各胴縁２，３，４の両端は、例えば主材に鋼管を用いた前記支柱５により支持され、支柱５は、例えば、φ１０１．６×３．２×６００（ｍｍ）の鋼管基礎６によって支持される。上部胴縁２の下方には複数の横桟７を設けてある。ここで、図１に示す例では、上部胴縁２と横胴縁４の間、横胴縁４と下部胴縁３の間に各々一つずつ横桟７を配してある。なお、横桟７の数は、柵１の柵高や横胴縁４の数等に応じて定めればよく、１本であっても３本以上であってもよく、横桟７を設けなくてもよい。さらに、複数の胴縁２，３，４は、支柱５に対する角度が可変であり、複数の胴縁２，３，４のうち上部胴縁２を除いた他の胴縁３，４には各々長手方向（前述したＡ方向）に間隔をおいて複数の孔１６〔図４（Ａ）参照）〕が設けられ、複数の縦桟８は、前記他の胴縁３，４および前記横桟７の複数の孔１６を各々貫き、前記連結部２０には、複数の胴縁２，３，４から支柱５までの距離を調整するための調整手段２２〔図６（Ｂ）参照）〕を設けてある。
【００２５】
そして、柵体１０は、全体として長方形をなす形態（図１参照）と平行四辺形をなす形態とに変形可能である。つまり、縦方向に延びる部材である縦桟８及び縦胴縁９は相互に略平行である状態を保ち、横方向に延びる部材である上部胴縁２、下部胴縁３、横胴縁４及び横桟７も相互に略平行である状態を保つ一方、縦方向に延びる部材８，９と、横方向に延びる部材２，３，４，７とは、互いのなす角度が可変となるように構成されている。これにより、柵体１０に、設置面（柵１の設置先となる地面等）の傾斜に応じた形態をとらせて、設置の簡易化を図ることができるのであり、例えば、縦方向に延びる部材８，９は支柱５に略平行となるようにしつつ、横方向に延びる部材２，３，４，７は設置面に略平行となるように角度を調整して設置すればよい。
【００２６】
上記構成を実現するために、本実施形態では、上部胴縁２、下部胴縁３、横胴縁４及び横桟７と、縦胴縁９とを締結具１１によって角度可変に連結してあり、このような締結具１１としては、例えばボルト留めを行うためのボルト１１ａ及びナット１１ｂ（図３参照）を用いることができる。
【００２７】
また、上記構成を実現するために、上部胴縁２が複数の縦桟８を角度可変に吊り下げ保持するようにもしてある。具体的には、図３に示すように、上部胴縁２は、少なくとも中空で天面１２ａを有すると共に下方が開放された本体部１２と、断面略Пの字型で本体部１２内に取付け可能な取付板１３とを有し、本体部１２及び取付板１３はともに長尺状（横長）であって軽溝形鋼によって構成されている。そして、取付板１３の上部には、その長手方向に間隔をおいて複数の孔１４が設けられている一方、縦桟８は金属の丸棒体で、図４（Ｃ）、図４（Ｄ）に示すように、長さＹは１４９２ｍｍであり、縦桟８の径φは５ｍｍである。また、縦桟８は上端部に平面視円形のフランジ１５を有する。フランジ１５の径φは８ｍｍであり、厚み１５ａは２ｍｍである。なお、前記縦桟８の長さＹ、縦桟８の径φ、フランジ１５の径φ、フランジ１５の厚み１５ａは、柵１の大きさ等に応じて適宜設定されうるものである。而して、取付板１３の孔１４に縦桟８を上方から差し込むと、孔１４の縁に縦桟８のフランジ１５が係止し、取付板１３は縦桟８を吊り下げた状態となり、縦桟８は、本体部１２の内側に取り付けられた取付板１３によって吊り下げ保持され、かつ天面１２ａによって上方への移動が規制され、これにより、抜け止めが図られている。なお、取付板１３は、複数の締結具１１によって本体部１２に固定されている。また、孔１４は、取付板１３に対してその長手方向（上部胴縁２の長手方向でもある）に所定間隔おきに設けてある。
【００２８】
また、上述したように、縦桟８は、下部胴縁３、横胴縁４及び横桟７を各々上下に貫いて延びるのであり、下部胴縁３、横胴縁４及び横桟７には、縦桟８によって貫かれる横長貫通孔１６を設けてある（図４（Ａ）参照）。ここで、縦方向に延びる部材８，９と、横方向に延びる部材２，３，４，７とのなす角度が変わるときに、縦桟８に対する干渉を防止するために、下部胴縁３、横胴縁４及び横桟７に設ける横長貫通孔１６は、横方向（下部胴縁３、横胴縁４及び横桟７の長手方向）に長い開口形状を有している。
【００２９】
一方、上部胴縁２によって角度可変に吊り下げ保持されている各縦桟８は、上部胴縁２によって支持されている部分を支点として動き得るが、自身が貫いた横長貫通孔１６の縁に当接していることにより、前後方向（平面視において上部胴縁２等の長手方向に直交する方向）には殆ど動かないものの、横方向（上部胴縁２等の長手方向）にはある程度動き得る。そこで、運搬時や柵１の設置後に縦桟８が個々に横方向に揺れ動くことを抑えるために、図４（Ａ）及び（Ｂ）に示すように、各縦桟８の下部によって貫かれる長板状の抑え板１７を設けてある。
【００３０】
この抑え板１７は、横長貫通孔１６と同じ間隔で複数の幅広貫通孔１８を有する。幅広貫通孔１８は、横長貫通孔１６と同様に縦桟８によって貫かれるように横長貫通孔１６の直下に位置させることができるものであり、その横方向（上部胴縁２等の長手方向）の長さは横長貫通孔１６よりも短く、前後方向（平面視において上部胴縁２等の長手方向に直交する方向）の幅は横長貫通孔１６よりも広くなっていて、本実施形態の幅広貫通孔１８は、横長貫通孔１６を平面視において９０°回転させた形状を呈する。
【００３１】
従って、運搬時や柵１の設置後に縦桟８が個々に横方向に揺れ動くことは、縦桟８が幅広貫通孔１８の縁に当接することによって抑えられ、しかも、縦方向に延びる部材８，９と、横方向に延びる部材２，３，４，７とのなす角度が変わるときには、下部胴縁３等の他の部材に固定されていない抑え板１７も各縦桟８と共に動くので、抑え板１７が縦桟８に干渉して柵体１０の変形に支障を来すことはない。
【００３２】
ここで、縦桟８が何ら規制されることなく上方への移動が可能になっていると、例えば小動物等の力を受けてこの縦桟８が持ち上がったときに縦桟８の下方に生じた隙間から小動物等が侵入する恐れがあるが、本実施形態では、このような隙間を生じさせる縦桟８の持ち上げを防止するために、各縦桟８の下部には、湾曲ないし屈曲して一方向に突出する突出部分１９を設けてある。すなわち、この突出部分１９は、縦桟８をその軸回りに回転させて所定方向（突出部分１９が抑え板１７の幅方向に突出する方向）に向けたときにのみ抑え板１７の幅広貫通孔１８を通過することができ、また、縦桟８をその軸回りに回転させて前記所定方向と直交する方向（突出部分１９が抑え板１７及び本体部１２の長手方向に突出する方向）に向けたときにのみ本体部１２の横長貫通孔１６を通過することができるように構成されている。このように、突出部分１９は、平面視において横長貫通孔１６と幅広貫通孔１８の重なり部分である略円形の部分より側方に突出しているので、横長貫通孔１６とこの直下に位置する幅広貫通孔１８とをある程度接近させておくことにより、突出部分１９が二つの貫通孔１６，１８を超えて上方に移動することはなく、これにより、縦桟８の上方への移動は規制されることになる。
【００３３】
ところで、抑え板１７は、幅広貫通孔１８を貫通する複数の縦桟８に沿って昇降自在になっており、この抑え板１７の幅広貫通孔１８が、この直上に位置する本体部１２の横長貫通孔１６から大きく離れることがあると、突出部分１９が、幅広貫通孔１８を下から上に通過した後、縦桟８が軸回りに９０度回転して横長貫通孔１６をも下から上に通過してしまうことも起こり得る。そこで、図４（Ｂ）から理解されるように、柵１を組み付けた状態では、抑え板１７の下方への移動は本体部１２を貫く締結具１１によって規制されるようにしてあり、これにより抑え板１７の抜け落ちは防止されると共に、抑え板１７の幅広貫通孔１８は、その直上に位置する本体部１２の横長貫通孔１６から大きく離間することはなく、常にある程度は接近した状態に保たれる（なお、図４（Ｂ）では、抑え板１７の幅広貫通孔１８が本体部１２の横長貫通孔１６にほぼ接する位置にあるが、抑え板１７は、締結具１１に接する位置にまでは下降し得る）。従って、柵１の組み付け状態においては、突出部分１９が幅広貫通孔１８内に下方から進入することがあっても、この突出部分１９は幅広貫通孔１８を下から上に抜けきる前に必ず横長貫通孔１６の縁に当接し、縦桟８のそれ以上の上昇は阻止され、かつ、突出部分１９は抜けきっていない幅広貫通孔１８の縁にも当接し、縦桟８の軸回りの回転も阻止されるので、突出部分１９が二つの貫通孔１６、１８を通過することはなく、縦桟８の上方への移動は必ず規制されることになる。
【００３４】
そして、図４（Ａ）及び（Ｂ）に示すように、本実施形態では、下部胴縁３が、少なくとも中空で天面１２ａを有すると共に下方が開放された本体部１２を有することを利用して、この下部胴縁３の本体部１２の内側に抑え板１７及び突出部分１９が位置するようにすることによって、見栄えの向上を図っている。但し、柵体１０の変形に支障を来すことのないように、突出部分１９は天面１２ａからある程度下方に離しておく必要がある。
【００３５】
この実施形態では、突出部分１９は、図４（Ｄ）に示すように、縦桟８の下部に形成されており、例えば縦桟８の下部先端８ｃから上方に向かって５３ｍｍの位置に突出部分１９の下端１９ａが位置している。そして、図４（Ｃ）に示すように、突出部分１９は、５ｍｍの径φを維持しており、縦桟８の周面８ａから一方向（縦桟８の中心線と垂直な方向：Ａ方向）に屈曲して一方向に突出する山形形状をなしている。この突出部分１９の周面８ａからの突出長さＶは５ｍｍであるが、横長貫通孔１６の大きさ、縦桟８の大きさに応じて適宜設定されうる。また、突出部分１９の上端１９ｂと下端１９ａ間の直線距離Ｕは１８ｍｍである。
【００３６】
また、図１に示すように、上部胴縁２、下部胴縁３、横胴縁４の各々両端は、それぞれ連結部２０を介して支柱５に連結支持されるのであり、この連結部２０は、支柱５に固定された固定金具２１と、図５及び図６に示す進退部材２２とによって構成され、固定金具２１と進退部材２２とは締結具１１によって締結（ボルト留め）される。
【００３７】
ここで、進退部材２２は、上部胴縁２、下部胴縁３及び横胴縁４の長手方向に進退可能に各胴縁２，３，４の両端部内に各々収容される。そして、進退部材２２は、固定金具２１とも各胴縁２，３，４とも、締結具１１によって連結されるのであるが、進退部材２２において締結具１１のボルト１１ａによって貫かれる貫通孔２３、２４、２５を、各胴縁２，３，４の長手方向に延びる長穴としてあることにより、固定金具２１と各胴縁２，３，４の両端部とに連結する進退部材２２の位置を、各胴縁２，３，４の長手方向に大きく進退させることができる。従って、進退部材２２の位置を各胴縁２，３，４の長手方向に大きく調整することにより、各胴縁２，３，４から支柱５までの距離を広範囲にかつ容易に調整することができるのであり、進退部材２２は各胴縁２，３，４から支柱５までの距離を広範囲に調整するための調整手段を構成するものとなる。そのため、例えば施工ミス等により、支柱５を支持する基礎（鋼管基礎６等）の間隔が支柱５の本来の間隔に合致していない箇所が存在しても、各胴縁２，３，４から支柱５までの距離を調整することにより対応することができ、これにより、柵１は、設置の際の融通性を高めることが可能となる。そして、進退部材２２が進退可能な範囲における中心に位置する状態に対応する支柱５間の距離を基準とすることにより、柵１は、支柱５を支持する基礎（鋼管基礎等）の間隔が上記基準とした支柱５間の距離よりも長い箇所のみならず短い箇所にも対応可能となる点で極めて有益である。
【００３８】
以上、本実施形態で用いる柵１によれば、横方向に延びる部材である上部胴縁２、下部胴縁３、横胴縁４及び横桟７は、正面視において縦方向に延びる部材である縦桟８及び縦胴縁９並びに支柱５とのなす角度が可変であるので、縦方向に延びる部材８，９に対する横方向に延びる部材２，３，４，７の角度を変えて傾斜地の傾斜角に対応させることができる。また、縦桟８は、横胴縁４、横桟７によって中間部の相互間隔が保持されるので、相互間隔を拡げて侵入されることが防止される。このため、柵高を高くしても縦桟８を太くする必要が無く、低コストに柵高を大きくできる。
【００３９】
柵１は、上部胴縁２、下部胴縁３及び横胴縁４の各々の端部を上下に連結する縦胴縁９を有するので、上部胴縁２、下部胴縁３、横胴縁４、横桟７、縦桟８及び縦胴縁９によって柵体１０が構成され、施工が容易となる。
【００４０】
縦桟８は、取付板１３に吊り下げられて上部胴縁２の本体部１２に取り付けられるので、取付けが容易である。しかも、縦桟８のフランジを上部胴縁の本体部の天面と取付板との間に保持させて縦桟８の抜け止めを図ることができる上、縦桟８の上端部の構成をシンプルにして縦桟８に用いる資材量の削減を達成することも可能となる。
【００４１】
因みに、本実施形態の柵１の柵高は約１．５ｍであり、柵１を構成する部材には、必要に応じてめっきや塗装等の防錆処理が施される。また、縦方向に延びる部材８，９に対する横方向に延びる部材２，３，４，７の角度の調整は、各締結具１１を緩める等することなく行うことができる。
【００４２】
柵１は、例えば高速道路用の侵入防止柵として用いられるものであるが、これに限定されるものではない。
【００４３】
横胴縁４は、無くてもよいし、二つ以上設けてもよい。
【００４４】
上記実施の形態では、縦胴縁９を設けているが、これに限らず、縦胴縁９を省略し、横桟７の両端を支柱５に角度可変に取り付けてもよい。
【００４５】
上記実施形態では、各胴縁２，３，４，９を正面側から背面側まで貫くボルト１１ａ及びナット１１ｂによって構成される締結具１１を用いているが、少なくとも一つ以上の締結具１１において、ボルト１１ａの頭部がナット１１ｂを受け入れ可能な筒状に構成されていてもよい。この場合、複数の柵１（あるいは柵体１０、２６）を地面に寝かせて複数段積み上げる際に、下側の柵１の上面にあるボルト１１ａの頭部（又はナット１１ｂ）と、上側の柵１の下面にあるナット１１ｂ（又はボルト１１ａの頭部）とが嵌まり込むようにすることによって、複数の柵１を安定性良く、かつ傷付かないように積み上げて、コンパクトに保管、運搬等することが可能となる。
【００４６】
上記実施形態の柵１は、傾斜角が０度〜４５度の斜面上に設置することを想定して構成されており、例えば傾斜角が４５度の斜面上においても、縦桟８及び縦胴縁９並びに支柱５を鉛直方向に向けて設置可能となっている。しかし、これに限らず、例えば隣り合う横長貫通孔１６及び幅広貫通孔１８の間隔を広げて設けることにより、より急勾配な斜面への設置を主とする場合にも対応が可能となる。
【００４７】
而して、柵１を平地に設置するとともに、柵１の設置箇所の地中Ｆに動物侵入防止杭３０を打ち込んで埋設する施工例について説明する。図１において、
（１）まず始めに、下部胴縁３が設置箇所の地表面から例えば５０ｍｍ（＝ｈ’）の高さに位置するよう、柵１を設置箇所に取り付ける作業が施される。この際、縦桟８の下（先）端８ｃは設置地面に当接している。
（２）続いて、Ａ方向に隣接する二つの動物侵入防止杭３０，３０を、柵１の設置箇所の前面で、支柱５，５を支持する基礎６，６間に位置するよう配置する作業が施される。この際、各横板３２を柵１側に位置させながら、かつ、例えば図示左側の動物侵入防止杭３０の重ね合わせ部分３４ａを、図示右側の動物侵入防止杭３０の重ね合わせ部分３４ｂに重ねることにより隣接する二つの動物侵入防止杭３０，３０を配置する。このようにして必要数の動物侵入防止杭３０を配置していく。
（３）続いて、杭本体３３を、動物侵入防止杭３０の連設部３４が下部胴縁３の高さ位置までくるよう地中に１５０ｍｍ以上の所定の埋め込み長さに打ち込む作業が施される。この際、下部胴縁３の各々両端は、連結部２０を介して支柱５に連結支持されるのであり、この連結部２０は、支柱５に固定された固定金具２１と、図５及び図６に示す進退部材２２とによって構成され、固定金具２１と進退部材２２とは締結具１１によって締結（ボルト留め）されるので、各横板３２の端面部３２ａ（図２（Ｂ）参照）はそれぞれ左右の縦胴縁９，９（例えば図６（Ａ）参照）の表面に当接した状態になっている。
（４）続いて、地表面上に位置している連設部３４および横板３２と、柵１の下部胴縁３とを結束バンド４０で結束する作業が施される。この際、結束バンド４０として市販のガルバロックが用いられ、結束バンド４０の結束孔に結束線の開放端部を挿通させた後形成されるワッパ内に連設部３４、横板３２、下部胴縁３が位置するので、結束線の開放端部を外側に引っ張って強固に三部材３４，３２，３が結束バンド４０により結束されうる。なお、三部材３４，３２，３の係着手法はこれに限らない。
【００４８】
なお、動物侵入防止杭３０，３０は上述した強度を持つが、地面、地中の構造等により作業の打ち込み途中等に多少変形して変形したまま埋め込まれるおそれがある。例えば、隣接する杭本体３３，３３間の長さｄは４５ｍｍであるが、一方の杭本体３３が例えば平面視において最大１０ｍｍ前後方向（Ａ方向およびＢ方向それぞれに直角な方向）にずれた場合、簡単な演算により、隙間となる杭本体３３，３３間の長さが４５ｍｍから約４６．１０ｍｍと１．１０ｍｍ開くことになる。しかし、この程度の開きは、動物の侵入のための隙間とはならず、動物侵入防止には影響はない。また、柵１を傾斜地に設置する場合〔例えば、柵１の縦方向（Ｂ方向）に延びる部材８，９は支柱５に略平行となるようにしつつ、柵１の横方向に延びる部材２，３，４，７は傾斜した設置面に略平行となるように角度を調整して柵１が設置されている場合〕は、上述した、複数の杭本体３３の前記上端を通る仮想線Ｎが柵１の横方向に延びる部材２，３，４，７に平行になるよう動物侵入防止部材３０が埋設されうる。
【００４９】
また、本発明は、上記実施形態で示した、複数の胴縁と支柱と複数の縦桟とを備えた柵１のみならず、メッシュフェンス、ネットフェンス、エキスパンドフェンス等の動物侵入防止用の柵にも適用できる。
【符号の説明】
【００５０】
１    柵
２    上部胴縁
３    下部胴縁
４    横胴縁
５    支柱
６    鋼管基礎
７    横桟
８    縦桟
３０  動物侵入防止部材
３１  縦板
３２  横板
Ｄ    侵入防止構造
Ｆ    地中
Ｍ    折り曲げ部分
【図１】
2017147961.tif 000003
【図２】
2017147961.tif 000004
【図３】
2017147961.tif 000005
【図４】
2017147961.tif 000006
【図５】
2017147961.tif 000007
【図６】
2017147961.tif 000008